(57)【要約】【課題】予め画像が形成された用紙に重ねて予め定められた画像を形成した後に、予め定められた後処理を行う指示が正しく実行可能に指示されているか否かを判定可能にする。【解決手段】用紙画像取得部５００は、印刷用紙給紙部２００又はスキャナ２１０が出力する第１の画像データを取得する。印刷データ変換部５０２は、印刷データを取得し、第２の画像データと指示情報とに変換する。処理部５０４は、用紙画像取得部５００が出力する第１の画像データと、印刷データ変換部５０２が出力する第２の画像データと、後処理画像記憶部５０６が記憶する第３の画像データとを受け入れ、印刷データ変換部５０２が出力する指示情報に応じて、予め画像が形成された用紙に重ねて予め定められた画像を形成した後に、予め定められた後処理を行った結果を示す画像の画像データをＵＩ装置２２に対して出力する。【選択図】図３
2010226452.tif 000002
【特許請求の範囲】
【請求項１】
予め画像が形成された用紙の面を画像データとして取得する第１の画像データ取得手段と、
予め画像が形成された用紙に形成する予め定められた画像を示す画像データを取得する第２の画像データ取得手段と、
用紙に対して予め定められた後処理を行った結果を示す画像の画像データを取得する第３の画像データ取得手段と、
予め画像が形成された用紙に重ねて予め定められた画像を形成した後に、予め定められた後処理を行う指示を示す指示情報を取得する指示情報取得手段と、
この指示情報取得手段が取得した指示情報に応じて、前記第１の画像データ取得手段、前記第２の画像データ取得手段及び前記第３の画像データ取得手段が取得した画像データに基づく画像を表示する表示手段と、
を有する画像処理システム。
【請求項２】
前記第２の画像データ取得手段が取得した画像データが示す画像の方向を、前記第１の画像データ取得手段が取得した画像データが示す画像の方向に応じて変更する方向変更手段をさらに有し、
前記表示手段は、
前記方向変更手段により方向が変更された前記第２の画像データ取得手段が取得した画像データが示す画像を表示する
請求項１記載の画像処理システム。
【請求項３】
予め画像が形成された用紙を供給する給紙手段と、
この給紙手段が供給する用紙に対し、前記第２の画像データ取得手段が取得する画像データに応じて画像を形成する画像形成手段と、
この画像形成手段が画像を形成した用紙に対し、前記指示情報取得手段が取得する指示情報に応じて後処理を実施する後処理手段と、
をさらに有する
請求項１又は２記載の画像処理システム。
【請求項４】
前記第２の画像データ取得手段が取得した画像データが示す画像の方向を、前記後処理手段が後処理を実施可能な位置に応じて変換する方向変換手段をさらに有する
請求項１乃至３いずれか記載の画像処理システム。
【請求項５】
予め画像が形成された用紙の面を画像データとして取得するステップと、
予め画像が形成された用紙に形成する予め定められた画像を示す画像データを取得するステップと、
用紙に対して予め定められた後処理を行った結果を示す画像の画像データを取得するステップと、
予め画像が形成された用紙に重ねて予め定められた画像を形成した後に、予め定められた後処理を行う指示を示す指示情報を取得するステップと、
取得した指示情報に応じて、取得した画像データに基づく画像を表示するステップと、
をコンピュータに実行させる画像処理プログラム。
【発明の詳細な説明】
【技術分野】
【０００１】
本発明は、画像処理システム及び画像処理プログラムに関するものである。
【背景技術】
【０００２】
特許文献１は、給紙カセットに入れられた印刷用紙を撮像するカメラからの画像に基づいて印刷用紙が予め定められた通りにセットされているか否かを判断し、判断結果を表示するプリンタを開示する。また、特許文献２は、用紙の表裏の印刷状態と用紙長さとを検出した結果から用紙の種類、サイズ、表裏及び用紙搬送路における用紙の搬送方向を判別し、判別結果に基づいて、画像記憶部に記憶されている画像データによる画像の記録を制御する画像記録装置を開示する。
【先行技術文献】
【特許文献】
【０００３】
【特許文献１】特開２００２−２７３９９２号公報
【特許文献２】特開２００６−１１０８３１号公報
【発明の概要】
【発明が解決しようとする課題】
【０００４】
本発明は、予め画像が形成された用紙に重ねて予め定められた画像を形成した後に、予め定められた後処理を行う指示が正しく実行可能に指示されているか否かを判定可能にすることができる画像処理システム及び画像処理プログラムを提供することを目的とする。
【課題を解決するための手段】
【０００５】
上記目的を達成するため、請求項１に係る本発明は、予め画像が形成された用紙の面を画像データとして取得する第１の画像データ取得手段と、予め画像が形成された用紙に形成する予め定められた画像を示す画像データを取得する第２の画像データ取得手段と、用紙に対して予め定められた後処理を行った結果を示す画像の画像データを取得する第３の画像データ取得手段と、予め画像が形成された用紙に重ねて予め定められた画像を形成した後に、予め定められた後処理を行う指示を示す指示情報を取得する指示情報取得手段と、この指示情報取得手段が取得した指示情報に応じて、前記第１の画像データ取得手段、前記第２の画像データ取得手段及び前記第３の画像データ取得手段が取得した画像データに基づく画像を表示する表示手段と、を有する画像処理システムである。
【０００６】
請求項２に係る本発明は、前記第２の画像データ取得手段が取得した画像データが示す画像の方向を、前記第１の画像データ取得手段が取得した画像データが示す画像の方向に応じて変更する方向変更手段をさらに有し、前記表示手段は、前記方向変更手段により方向が変更された前記第２の画像データ取得手段が取得した画像データが示す画像を表示する請求項１記載の画像処理システムである。
【０００７】
請求項３に係る本発明は、予め画像が形成された用紙を供給する給紙手段と、この給紙手段が供給する用紙に対し、前記第２の画像データ取得手段が取得する画像データに応じて画像を形成する画像形成手段と、この画像形成手段が画像を形成した用紙に対し、前記指示情報取得手段が取得する指示情報に応じて後処理を実施する後処理手段と、をさらに有する請求項１又は２記載の画像処理システムである。
【０００８】
請求項４に係る本発明は、前記第２の画像データ取得手段が取得した画像データが示す画像の方向を、前記後処理手段が後処理を実施可能な位置に応じて変換する方向変換手段をさらに有する請求項１乃至３いずれか記載の画像処理システムである。
【０００９】
請求項５に係る本発明は、予め画像が形成された用紙の面を画像データとして取得するステップと、予め画像が形成された用紙に形成する予め定められた画像を示す画像データを取得するステップと、用紙に対して予め定められた後処理を行った結果を示す画像の画像データを取得するステップと、予め画像が形成された用紙に重ねて予め定められた画像を形成した後に、予め定められた後処理を行う指示を示す指示情報を取得するステップと、取得した指示情報に応じて、取得した画像データに基づく画像を表示するステップと、をコンピュータに実行させる画像処理プログラムである。
【発明の効果】
【００１０】
請求項１に係る本発明によれば、予め画像が形成された用紙に重ねて予め定められた画像を形成した後に、予め定められた後処理を行う指示が正しく実行可能に指示されているか否かを判定可能にすることができる。
【００１１】
請求項２に係る本発明によれば、請求項１に係る本発明の効果に加えて、第２の画像データ取得手段が取得した画像データが示す画像の方向が、第１の画像データ取得手段が取得した画像データが示す画像の方向と異なっていても、予め定められた後処理を行う指示が正しく実行可能に指示されているか否かを判定可能にすることができる。
【００１２】
請求項３に係る本発明によれば、請求項１又は２に係る本発明の効果に加えて、正しく実行可能な指示に応じて、予め画像が形成された用紙に重ねて予め定められた画像を形成した後に、予め定められた後処理を行うことができる。
【００１３】
請求項４に係る本発明によれば、請求項１乃至３いずれかに係る本発明の効果に加えて、第２の画像データ取得手段が取得した画像データが示す画像の方向と、後処理手段が後処理を実施可能な位置とが正しく対応していなくても、第２の画像データ取得手段が取得した画像データが示す画像の方向を、後処理手段が後処理を実施可能な位置に応じて変換することができる。
【００１４】
請求項５に係る本発明によれば、予め画像が形成された用紙に重ねて予め定められた画像を形成した後に、予め定められた後処理を行う指示が正しく実行可能に指示されているか否かを判定可能にすることができる。
【図面の簡単な説明】
【００１５】
【図１】本発明の実施形態に係る画像処理システムの概要を示す構成図である。
【図２】制御部の構成を示すブロック図である。
【図３】ＣＰＵが実行する画像処理プログラムと画像形成装置本体との関係を示す概念図である。
【図４】画像形成装置の印刷動作例（Ｓ１０）を示すフローチャートである。
【図５】用紙のセット方向及び指示情報が正しい場合の印刷イメージをＵＩ装置が表示するまでの過程を示す模式図であって、（Ａ）は第３の画像データが示す画像であり、（Ｂ）は第２の画像データが示す画像であり、（Ｃ）は第１の画像データが示す画像であり、（Ｄ）はＵＩ装置が表示する印刷イメージである。
【図６】図５に示した向きとは異なる向き（縦長向き）で印刷用紙給紙部にセットされた用紙に対し、図５に示した結果と同じ印刷結果を得られることをＵＩ装置が表示するまでの過程を示す模式図である。
【図７】図６に示した向きとは異なる方向に１８０度回転させた向きで印刷用紙給紙部にセットされた用紙に対しては、図５に示した結果と同じ印刷結果が得られないことをＵＩ装置が表示するまでの過程を示す模式図である。
【図８】ＵＩ装置が印刷イメージを表示した状態を示す画面例である。
【発明を実施するための形態】
【００１６】
次に本発明の実施形態を図面に基づいて説明する。
図１において、本発明の実施形態に係る画像処理システム１の概要が示されている。画像処理システム１は、画像形成装置２がネットワーク３を介してホスト装置（ホストコンピュータ）４に接続されることにより構成されている。
【００１７】
画像形成装置２は、画像形成装置本体２０、ユーザインターフェイス（ＵＩ）装置２２、通信制御装置２４及び制御部２６を有する。画像形成装置本体２０は、図３を用いて後述する印刷用紙給紙部２００、画像形成部２０２及び後処理部２０４を有し、予め画像が形成された用紙に重ねて予め定められた画像を形成した後に、予め定められた後処理を行う。
【００１８】
ＵＩ装置２２は、例えばＬＣＤパネルなどの表示装置及びキーボードなどの入力装置を含むユーザインターフェイスである。通信制御装置２４は、ネットワーク３を介してホスト装置４と画像形成装置２とを接続する。制御部２６は、画像形成装置２を構成する各部を制御する。
【００１９】
図２は、制御部２６の構成を示すブロック図である。図２に示すように、制御部２６は、ＣＰＵ２６０、メモリ２６２及びハードディスクドライブ（ＨＤＤ）等の記憶装置２６４が制御バス２６６を介して相互に接続されることにより構成され、画像形成装置２を構成する各部を制御する。なお、制御バス２６６には、例えば上述した画像形成装置本体２０、ＵＩ装置２２及び通信制御装置２４も接続されている。
【００２０】
ＣＰＵ２６０は、メモリ２６２または記憶装置２６４に格納されたプログラムに応じて予め定められた処理を実行し、制御部２６の動作を制御する。また、プログラムをメモリ２６２や記憶装置２６４から提供するのではなく、当該プログラムをＣＤ−ＲＯＭ等の記録媒体に格納して提供することも可能である。この記録媒体は磁気ディスク、半導体メモリまたはその他の記録媒体であってもよい。
このように、画像形成装置２は、コンピュータとしての機能を含み、通信制御装置２４などを介して受け入れたプログラムを実行することにより、印刷などの処理を行う。
【００２１】
図３は、ＣＰＵ２６０が実行する画像処理プログラム５と画像形成装置本体２０との関係を示す概念図である。
画像処理プログラム５は、用紙画像取得部５００、印刷データ変換部５０２、処理部５０４、後処理画像記憶部５０６及び印刷制御部５０８を有する。また、画像形成装置本体２０は、例えば印刷用紙給紙部２００、画像形成部２０２及び後処理部２０４を有し、画像を読み取るスキャナ２１０などを備えていてもよい。
【００２２】
印刷用紙給紙部２００は、例えば表裏それぞれに予め画像が形成された用紙（事前印刷・加工用紙）を画像形成部２０２に対して供給する。また、印刷用紙給紙部２００は、ＣＣＤなどのカメラ２０６を有し、用紙の表裏の面それぞれに予め形成された画像を撮像し、撮像結果を画像データとして用紙画像取得部５００に対して出力する。
【００２３】
画像形成部２０２は、印刷用紙給紙部２００から供給される予め画像が形成された用紙に対し、後述する印刷制御部５０８の制御に応じて画像を重ねて形成し、画像を重ねた用紙を後処理部２０４に対して出力する。
【００２４】
後処理部２０４は、画像形成部２０２が出力した用紙に例えばステープルなどの予め定められた後処理を行い、後処理を行った印刷物を出力する。
【００２５】
また、印刷用紙給紙部２００に換えて、スキャナ２１０が用紙の表裏の面それぞれに予め形成された画像を撮像し、撮像結果を画像データとして用紙画像取得部５００に対して出力してもよい。
【００２６】
用紙画像取得部５００は、印刷用紙給紙部２００又はスキャナ２１０が出力する画像データ（第１の画像データ：用紙画像イメージ）を取得し、処理部５０４に対して出力する。
【００２７】
印刷データ変換部５０２は、例えば印刷画像取得部５１０及び指示情報取得部５１２を有し、ホスト装置４が出力する例えばページ記述言語（Page Description Language：ＰＤＬ）などの印刷データを取得し、ＰＤＬを予め定められた画像データ（第２の画像データ：印刷画像イメージ）と予め定められた指示情報とに変換し、変換結果を処理部５０４及び印刷制御部５０８に対して出力する。ここで、印刷画像取得部５１０は、ＰＤＬから画像データ（第２の画像データ：印刷画像イメージ）を取得し、処理部５０４及び印刷制御部５０８に対して出力するようにされている。また、指示情報取得部５１２は、ＰＤＬから印刷ジョブの属性及び後処理指示などの印刷物に対する指示情報を取得し、処理部５０４及び印刷制御部５０８に対して出力するようにされている。
【００２８】
処理部５０４は、後処理画像取得部５１４、方向変更部５１６及び方向変換部５１８を有し、用紙画像取得部５００が出力する第１の画像データと、印刷データ変換部５０２が出力する第２の画像データと、後述する後処理画像記憶部５０６が記憶する第３の画像データとを受け入れ、印刷データ変換部５０２が出力する指示情報に応じて、予め画像が形成された用紙に重ねて予め定められた画像を形成した後に、予め定められた後処理を行った結果を示す画像（合成画像）の画像データをＵＩ装置２２に対して出力する。
また、処理部５０４は、ＵＩ装置２２を介して受け入れた入力に応じて、印刷制御部５０８に対する印刷実行の指示又は印刷中止の指示を行うようにされている。
【００２９】
後処理画像記憶部５０６は、用紙に対して予め定められた後処理を行った結果を示す画像（図５〜図８参照）の画像データ（第３の画像データ）を記憶する記憶部であり、例えば記憶装置２６４に含まれる。後処理画像取得部５１４は、後処理画像記憶部５０６が記憶する第３の画像データを取得するようにされている。方向変更部５１６は、第１の画像データが示す画像の方向に対して、第２の画像データが示す画像の方向が予め定められた方向になっていない場合、第２の画像データが示す画像の方向を第１の画像データが示す画像の方向に応じて変更し、変更結果をＵＩ装置２２及び印刷制御部５０８に対して出力する。また、方向変換部５１８は、第３の画像データが示す画像の方向に対して、第２の画像データが示す画像の方向が予め定められた方向になっていない場合、後処理部２０４が後処理を実施可能な位置に応じて、第２の画像データが示す画像の方向を第３の画像データが示す画像の方向に応じて変換する。
【００３０】
印刷制御部５０８は、印刷データ変換部５０２が出力する第２の画像データ及び指示情報と、処理部５０４が出力する印刷実行の指示又は印刷中止の指示とを受け入れて、印刷用紙給紙部２００、画像形成部２０２及び後処理部２０４を制御する。
【００３１】
次に、画像形成装置２の印刷動作について説明する。
図４は、画像形成装置２の印刷動作例（Ｓ１０）を示すフローチャートである。
図４に示すように、ステップ１００（Ｓ１００）において、制御部２６は、例えばネットワーク３を介して画像形成装置２からＰＤＬなどの印刷データを受け入れると、印刷データを第２の画像データ（少なくとも２シート目の表面まで）と指示情報とに変換する。
【００３２】
ステップ１０２（Ｓ１０２）において、ＣＰＵ２６０は、例えば印刷ジョブの開始時であるか否か、又は、印刷用紙給紙部２００が供給する用紙が変更されたか否かを示す信号を例えばＵＩ装置２２を介して取得し、予め画像が形成された用紙に重ねて予め定められた画像を形成した後に、予め定められた後処理を行う指示が正しく実行可能に指示されているか否かを確認する処理が必要であるか否かを判定し、必要である場合はＳ１０４の処理に進み、必要でない場合はＳ１１８の処理に進む。
【００３３】
ステップ１０４（Ｓ１０４）において、用紙画像取得部５００は、用紙の表裏の面の画像（第１の画像データ）を取得する。
【００３４】
ステップ１０６（Ｓ１０６）において、印刷画像取得部５１０は、印刷画像（第２の画像データ）を取得する。
【００３５】
ステップ１０８（Ｓ１０８）において、指示情報取得部５１２は、指示情報を取得する。
【００３６】
ステップ１１０（Ｓ１１０）において、後処理画像取得部５１４は、後処理結果の画像（第３の画像データ）を取得する。
【００３７】
ステップ１１２（Ｓ１１２）において、処理部５０４は、予め画像が形成された用紙に重ねて予め定められた画像を形成した後に、予め定められた後処理を行った結果を示す画像（合成画像）を生成し、生成した画像の画像データをＵＩ装置２２に対して出力する（画像データ処理）。
【００３８】
ステップ１１４（Ｓ１１４）において、ＵＩ装置２２は、処理部５０４が出力する画像データに応じて、予め画像が形成された用紙に重ねて予め定められた画像を形成した後に、予め定められた後処理を行った結果を示す画像（合成画像）を表示する。
【００３９】
ステップ１１６（Ｓ１１６）において、処理部５０４は、ＵＩ装置２２を介して受け入れた入力に応じて、ＵＩ装置２２の表示結果に対する作業者の了承を示す操作（指示）があるか否かを判定し、了承を示す指示（印刷実行の指示）がある場合にはＳ１１８の処理に進み、了承を示す指示がない（印刷中止の指示がある）場合には処理を終了する。
【００４０】
ステップ１１８（Ｓ１１８）において、画像形成装置本体２０は、印刷制御部５０８の制御に応じて、予め画像が形成された用紙に重ねて予め定められた画像を形成した後に、予め定められた後処理を行う。
【００４１】
ステップ１２０（Ｓ１２０）において、ＣＰＵ２６０は、ジョブを終了したか否かを判定し、ジョブが終了していない場合にはＳ１００の処理に進み、ジョブが終了した場合には印刷動作を終了する。
【００４２】
次に、画像形成装置２による印刷結果例について説明する。
図５は、用紙のセット方向及び指示情報が正しい場合の印刷イメージ（合成画像）をＵＩ装置２２が表示するまでの過程を示す模式図であって、（Ａ）は第３の画像データが示す画像であり、（Ｂ）は第２の画像データが示す画像であり、（Ｃ）は第１の画像データが示す画像であり、（Ｄ）はＵＩ装置２２が表示する印刷イメージである。
【００４３】
図５（Ｃ）に示した第１の画像データが画像に示した向き（横長向き）で印刷用紙給紙部２００にセットされた用紙に対し、図５（Ｂ）に示した第２の画像データが示す画像が形成され、図５（Ａ）に示した第３の画像データが示す位置のいずれかを綴じ位置とする指示情報が印刷データとして画像形成装置２に送信されると、ＵＩ装置２２は、図５（Ｄ）に示した印刷イメージを表示する。
例えば、用紙に対して後処理部２０４がステープルを配置可能な位置（左２箇所、左上１箇所又は左下１箇所）を第３の画像データが示し、指示情報が左上１箇所にステープルを配置する両面印刷の指示を含んでいる場合、ＵＩ装置２２は、左上１箇所を綴じ位置として印刷と後処理とを行った結果を、用紙の表裏を見開いた状態で順に並べて表示する。
【００４４】
図６は、図５に示した向きとは異なる向き（縦長向き）で印刷用紙給紙部２００にセットされた用紙に対し、図５に示した結果と同じ印刷結果を得られることをＵＩ装置２２が表示するまでの過程を示す模式図である。なお、図６において、（Ａ）は第３の画像データが示す画像であり、（Ｂ）は第２の画像データが示す画像であり、（Ｃ）は第１の画像データが示す画像であり、（Ｄ）はＵＩ装置２２が表示する印刷イメージである。
【００４５】
図６（Ｃ）に示した第１の画像データが画像に示した向き（縦長向き）で印刷用紙給紙部２００にセットされた用紙に対し、図６（Ｂ）に示した第２の画像データが示す画像が左側に９０度回転させられて形成され、図６（Ａ）に示した第３の画像データが示す位置のいずれかを綴じ位置とする指示情報が印刷データとして画像形成装置２に送信されると、ＵＩ装置２２は、図６（Ｄ）に示した印刷イメージを表示する。
例えば、用紙に対して後処理部２０４がステープルを配置可能な位置（左２箇所、左上１箇所又は左下１箇所）を第３の画像データが示し、指示情報が横長向きにおける左上１箇所にステープルを配置する両面印刷の指示を含んでいる場合、ＵＩ装置２２は、縦長向きの用紙に対して左下１箇所を綴じ位置として印刷と後処理とを行った結果を、用紙の表裏を見開いた状態で順に並べて表示する。
つまり、画像形成装置２は、図５に示した向きとは異なる向き（縦長向き）で印刷用紙給紙部２００にセットされた用紙に対し、図６に示した印刷イメージのように、第２の画像データが示す画像の向きを左に９０度回転させるよう変更し、第３の画像データが示す綴じ位置を左上１箇所から左下１箇所に変換して、図５に示した印刷イメージの表示と、印刷及び後処理とを行うことを可能にする。
【００４６】
図７は、図６に示した向きとは異なる方向に１８０度回転させた向き（反転した縦長向き）で印刷用紙給紙部２００にセットされた用紙に対して、図５に示した結果と同じ印刷結果が得られないことをＵＩ装置２２が表示するまでの過程を示す模式図である。なお、図７において、（Ａ）は第３の画像データが示す画像であり、（Ｂ）は第２の画像データが示す画像であり、（Ｃ）は第１の画像データが示す画像であり、（Ｄ）はＵＩ装置２２が表示する印刷イメージである。
【００４７】
図７（Ｃ）に示した第１の画像データが画像に示した向き（反転した縦長向き）で印刷用紙給紙部２００にセットされた用紙に対し、図７（Ｂ）に示した第２の画像データが示す画像が右側に９０度回転させられて形成され、図７（Ａ）に示した第３の画像データが示す位置のいずれかを綴じ位置とする指示情報が印刷データとして画像形成装置２に送信されると、ＵＩ装置２２は、図７（Ｄ）に示した印刷イメージを表示する。
例えば、用紙に対して後処理部２０４がステープルを配置可能な位置（左２箇所、左上１箇所又は左下１箇所）を第３の画像データが示し、指示情報が横長向きにおける左上１箇所にステープルを配置する両面印刷の指示を含んでいる場合、ＵＩ装置２２は、縦長向きの用紙に対して左下１箇所を綴じ位置として印刷と後処理とを行った結果を、用紙の表裏を見開いた状態で順に並べて表示する。
つまり、画像形成装置２は、図６に示した向きとは異なる方向に１８０度回転させた向き（反転した縦長向き）で印刷用紙給紙部２００にセットされた用紙に対して、図７に示した印刷イメージのように、第２の画像データが示す画像の向きを右に９０度回転させるよう変更し、第３の画像データが示す綴じ位置を左上１箇所から左下１箇所に変換しても、図５に示した印刷イメージの表示と、印刷及び後処理とを行うことができないことをＵＩ装置２２により表示する。
ここで、第１の画像データが、１８０度回転させた画像データと、１８０度回転させる前の画像データと同じものとなる場合、つまり、点対称の画像データである場合には、第２の画像データを第３の画像データと対応するように変更しても、第１の画像データと、第２の画像データとで整合が取れる場合がある。
そこで、第２の画像データの方向を変更可能に構成することによって、第１の画像データが点対称である場合に、印刷用紙給紙部２００にセットされた用紙に対して変更することなく、第１の画像データ、第２の画像データ、及び第３の画像データの整合をとることができる。
【００４８】
図８は、ＵＩ装置２２が印刷イメージを表示した状態を示す画面６である。
印刷用紙給紙部２００に対する用紙のセット方向及び指示情報が正しい場合、例えばタッチパネルからなるＵＩ装置２２は、例えば図５（Ｄ）に示した印刷イメージ６０を表示するとともに、方向変更部５１６に対する変更方向指示ボタン６２、方向変換部５１８に対する変換方向指示ボタン６４及び処理部５０４に対する印刷実行又は印刷中止の指示ボタン６６を表示する。
【００４９】
なお、制御部２６は、第１の画像データ及び第２の画像データが示す画像の向きを、例えば文字の向きなどを読み取ることによって判定するようにされてもよいし、ＵＩ装置２２が表示した印刷イメージに対する作業者の指示入力に応じて判定するようにされてもよい。
【符号の説明】
【００５０】
１    画像処理システム
２    画像形成装置
２０    画像形成装置本体
２００    印刷用紙給紙部
２０２    画像形成部
２０４    後処理部
２０６    カメラ
２１０    スキャナ
２２    ＵＩ装置
２４    通信制御装置
２６    制御部
２６０    ＣＰＵ
２６４    記憶装置
３    ネットワーク
４    ホスト装置
５    画像処理プログラム
５００    用紙画像取得部
５０２    印刷データ変換部
５０４    処理部
５０６    後処理画像記憶部
５０８    印刷制御部
５１０    印刷画像取得部
５１２    指示情報取得部
５１４    後処理画像取得部
５１６    方向変更部
５１８    方向変換部
６    画面
６０    印刷イメージ
６２    変更方向指示ボタン
６４    変換方向指示ボタン
６６    指示ボタン
【図１】
2010226452.tif 000003
【図２】
2010226452.tif 000004
【図３】
2010226452.tif 000005
【図４】
2010226452.tif 000006
【図５】
2010226452.tif 000007
【図６】
2010226452.tif 000008
【図７】
2010226452.tif 000009
【図８】
2010226452.tif 000010